(57)【要約】【課題】  嵌合を検知する機能、保証位置から容易に動けないようにする機能、嵌合検知部材自身が容易に外れない機能を確実に行うこと。【解決手段】  嵌合検知部材２１はコネクタ１１の嵌合を検知する検知部２５と、初期位置に係止させる保持部２７と、保証位置に係止させる操作部２９とを有し、前記検知部２５は前記コネクタ１１のロックレバー１８と係合する係止部２５ａを有し、前記操作部２５は前記嵌合検知部材２１が前記初期位置に位置している際に前記嵌合検知部材２１をスライド可能になし、前記嵌合検知部材２１が前記保証位置に位置している際に前記コネクタ１１と係合して嵌合検知部材２１を前記初期位置に戻すことを阻止する。【選択図】  図１
2005251540.tif 000002
【特許請求の範囲】
【請求項１】
相手側コネクタと、一軸に平行な嵌合・抜去方向で該相手側コネクタに嵌合・抜去可能なコネクタと、該コネクタにスライド自在に保持されかつ前記コネクタの嵌合・未嵌合状態を検知する嵌合検知部材とを備えたコネクタ装置において、
前記コネクタは、前記相手側コネクタと係合するロックレバーを有し、前記嵌合検知部材は、前記コネクタの嵌合・未嵌合を検知する検知部と、前記嵌合検知部材を初期位置に係止させる保持部と、前記嵌合検知部材を嵌合状態である保証位置に係止させる操作部とを有し、前記検知部は、前記ロックレバーと係合する係止部を有し、前記保持部は、前記嵌合検知部材の前記スライド方向とは異なる方向に変位して前記コネクタと係合し、前記操作部は、前記嵌合検知部材が前記初期位置に位置している際に前記嵌合検知部材をスライド可能になし、前記嵌合検知部材が前記保証位置に位置している際に前記コネクタと係合して嵌合検知部材を前記初期位置に戻すことを阻止するものであることを特徴とするコネクタ装置。
【請求項２】
請求項１記載のコネクタ装置において、前記操作部は、コネクタに係止する突起部を有し、前記コネクタは、前記保証位置において前記突起部に係止し前記保証位置から前記抜去方向への移動を阻止する操作用突起部を有していることを特徴とするコネクタ装置。
【請求項３】
請求項１又２に記載のコネクタ装置において、前記ロックレバー、前記検知部、前記保持部、及び前記操作部は、これらが弾性変位可能なものであることを特徴とするコネクタ装置。
【発明の詳細な説明】
【技術分野】
【０００１】
本発明は、コネクタと相手側コネクタとの嵌合状態及び未嵌合状態を検知する嵌合検知部材を備えているコネクタ装置に関するものである。
【背景技術】
【０００２】
従来のコネクタ装置としては、相手側コネクタと、相手側コネクタに嵌合・抜去するコネクタと、コネクタにスライド自在に保持され、かつコネクタの嵌合を検知する嵌合検知部材とを備えたものがある。嵌合検知部材は、コネクタが正規の位置で嵌合状態であることを保証（確認）するための部品である。
【０００３】
このようなコネクタでは、雌雄のコネクタが未嵌合状態であっても、嵌合検知部材が待機位置から保証位置（雄型コネクタの外側に嵌合する位置）に拡大プッシュヘッドを移動することが可能である。
【０００４】
コネクタ装置において、嵌合検知部材が雄型コネクタの外側に嵌合する位置に拡大プッシュヘッドを移動された状態では、ロックタブに軸線方向に動くことを制限している。また、雌雄コネクタ同士を離脱させるときには、嵌合検知部材は保証位置から待機位置へ抜去される（特許文献１を参照）。
【０００５】
【特許文献１】特公平７−１９６３１号公報
【発明の開示】
【発明が解決しようとする課題】
【０００６】
従来のコネクタ装置におけるコネクタでは、雌雄のコネクタが未嵌合状態であっても、嵌合検知部材が待機位置から保証位置に拡大プッシュヘッドを移動することが可能である。この状態でコネクタを嵌合させようとしたとき、ロックアーム及びロックレバーには、各々テーパー形成されているので、過大に力を加えれば嵌合が可能となり、嵌合・未嵌合の検知が不十分となってしまうという問題がある。
【０００７】
また、コネクタ装置において、嵌合検知部材が雄型コネクタの外側に衝合する位置に拡大プッシュヘッドを移動された状態では、ロックタブに軸線方向に動くことを制限している。しかし、ロックタブに形成されたテーパー角度は、嵌合・抜去方向に変わらなくなり、操作時の力はあまり変わらなくなり、抜去力が低いが挿入力が高くなってしまう。
【０００８】
さらに、雌雄コネクタ同士を離脱させるときには、嵌合検知部材が保証位置から待機位置へ抜去されるが、待機位置にあるときには嵌合検知部材が取れないことが望ましい。これは、嵌合検知部材自身を操作者がなくすことを防ぐためのであるが、待機位置に保持される構成とはなっていない。
【０００９】
さらにまた、嵌合検知部材を用いて行う動作として、コネクタの嵌合後に嵌合検知部材の挿入（待機位置から保証位置への移動）が行われる。嵌合検知部材の挿入は、通常の作業として容易に行えることが望ましいが実現されていない。
【００１０】
また、電気機器の使用状態・組み立て状態において、意図しない力（振動、衝撃など）により安易に嵌合検知部材の抜去（保証位置から待機位置への移動）ができないことが望ましいが実現されていない。これは、待機位置では、コネクタが正規の嵌合状態であることを保証（確認）することができないからである。
【００１１】
それ故に、本発明の課題は、嵌合検知部材について嵌合状態及び未嵌合状態を検知する機能、嵌合を保証している位置から容易に動けないようにする機能、嵌合検知部材自身が容易に外れないための機能を確実に行うことができるコネクタ装置を提供することにある。
【課題を解決するための手段】
【００１２】
本発明は、相手側コネクタと、一軸に平行な嵌合・抜去方向で該相手側コネクタに嵌合・抜去可能なコネクタと、該コネクタにスライド自在に保持されかつ前記コネクタの嵌合・未嵌合状態を検知する嵌合検知部材とを備えたコネクタ装置において、前記コネクタは、前記相手側コネクタと係合するロックレバーを有し、前記嵌合検知部材は、前記コネクタの嵌合・未嵌合を検知する検知部と、前記嵌合検知部材を初期位置に係止させる保持部と、前記嵌合検知部材を嵌合状態である保証位置に係止させる操作部とを有し、前記検知部は、前記ロックレバーと係合する係止部を有し、前記保持部は、前記嵌合検知部材の前記スライド方向とは異なる方向に変位して前記コネクタと係合し、前記操作部は、前記嵌合検知部材が前記初期位置に位置している際に前記嵌合検知部材をスライド可能になし、前記嵌合検知部材が前記保証位置に位置している際に前記コネクタと係合して嵌合検知部材を前記初期位置に戻すことを阻止するものであることを特徴とするコネクタ装置ことを最も主要な特徴とする。
【発明の効果】
【００１３】
本発明のコネクタ装置によれば、嵌合検知部材をコネクタに組み込むときには、嵌合検知部材の保持部が変形することによって嵌合検知部材が組み込まれ、保持部は、嵌合検知部材が組み込まれると、コネクタの内壁部の外面に形成されている保持用突起部と係止し、操作部の突起部は、コネクタの操作用突起部に係止されるので、嵌合検知部材が抜去方向へ容易に外れることがない。
【００１４】
また、相手側コネクタへコネクタの嵌合が完了すると、ロックレバーが変形した状態から自然状態に復帰する。このとき、検知部は変形を維持し、ロックレバーが復帰し検知部が変形した状態において、係止が外れるので嵌合検知部材を保証位置へ挿入可能となる。嵌合検知部材を保証位置へ挿入するときには、操作バネ部が突起部に沿って容易に変形されるので操作力は低くすることができる。
【００１５】
さらに、コネクタと相手側コネクタとの嵌合が完了した時には、ロックレバーが相手側コネクタと係止して復帰するが、検知部は、相手側コネクタにより押し付けられたままであり、検知部はロックレバーとの係合が外れることになるので、コネクタが嵌合した時のみ、検知部の係合が外れ、嵌合検知部材が移動可能となることから嵌合を検知する機能が確実に実施できる。
【００１６】
すなわち、操作部と保持用突起部とにより、待機位置からの嵌合検知部材の挿入が容易に行え、保証位置からの抜去は容易に行えない機能が確実に実施できる。
【００１７】
さらに、嵌合検知部材を保証位置へ挿入すると、検知部は変形した状態から自然状態に復帰する。このとき、検知部の検知用係止部は、視覚的にもコネクタが嵌合した状態であることが確認でき、嵌合検知部材を保証位置から待機位置へ抜去しようとするときには、容易に抜去を行うことができないようにすることができる。
【００１８】
したがって、操作部は、嵌合検知部材が待機位置に位置している際には、嵌合検知部材をスライド可能になし、嵌合検知部材が保証位置に位置している際には、コネクタと係合して嵌合検知部材を待機位置に戻すことを阻止することができる。
【００１９】
よって、コネクタ装置の嵌合検知部材により、嵌合状態を検知する機能、コネクタ１１が保証位置に位置している状態から容易に移動しないようにする機能、及び嵌合検知部材自身が容易にコネクタから外れないようにする機能を実現できる。
【発明を実施するための最良の形態】
【００２０】
本発明によれば、相手側コネクタと、一軸に平行な嵌合・抜去方向で該相手側コネクタに嵌合・抜去可能なコネクタと、該コネクタにスライド自在に保持されかつ前記コネクタの嵌合・未嵌合状態を検知する嵌合検知部材とを備えたコネクタ装置において、前記コネクタは、前記相手側コネクタと係合するロックレバーを有し、前記嵌合検知部材は、前記コネクタの嵌合・未嵌合を検知する検知部と、前記嵌合検知部材を初期位置に係止させる保持部と、前記嵌合検知部材を嵌合状態である保証位置に係止させる操作部とを有し、前記検知部は前記ロックレバーと係合する係止部を有し、前記保持部は、前記嵌合検知部材の前記スライド方向とは異なる方向に変位して前記コネクタと係合し、前記操作部は、前記嵌合検知部材が前記初期位置に位置している際に前記嵌合検知部材をスライド可能になし、前記嵌合検知部材が前記保証位置に位置している際に前記コネクタと係合して嵌合検知部材を前記初期位置に戻すことを阻止するものであることを特徴とするコネクタ装置を実現した。
【実施例１】
【００２１】
図１及び図２は本発明に係るコネクタ装置の実施例１を示しており、コネクタと相手側コネクタとが完全に嵌合した状態における保証位置を示している。図３は図１に示したコネクタ及び嵌合検知部材を一部で断面した状態を示している。図４及び図５は、図１に示したコネクタを示している。図６は、コネクタ及び嵌合検知部材を示している。図７及び図８は図１に示した嵌合検知部材を示している。
【００２２】
図１乃至図３を参照して、コネクタ装置は、コネクタ１１と、コネクタ１１にスライド自在に保持されかつコネクタ１１の嵌合を検知する嵌合検知部材２１と、コネクタ１１が嵌合・抜去する相手側コネクタ３１とを備えている。コネクタ１１、嵌合検知部材２１、及び相手側コネクタ３１は、これらが樹脂材によって成形されている。
【００２３】
コネクタ１１は、図４乃至図６にも示すように、相手側コネクタ３１に嵌合方向Ａ（図１に図示した矢印Ａ）で挿入されて嵌合する略筒形状に形成されている嵌合部１３と、嵌合部１３の嵌合方向Ａの前部分を除く抜去方向Ｂ（図１に示した矢印Ｂ）側の部分を囲むようにして嵌合部１３に一体に形成されている外枠部１５と、嵌合部１３の上側と外枠部１５とに接続されている検知用ロック部１７とを有している。
【００２４】
嵌合部１３には、図示しない導電性のコンタクトの複数を収容する複数のコンタクト収容穴１３ａが嵌合方向Ａ及び離脱方向Ｂに長い寸法で形成されている。外枠部１５は、抜去方向Ｂ側の端部に嵌合・抜去方向Ａ、Ｂを直交する方向に延びているフランジ部１５ａが形成されており、嵌合部１３の後部で嵌合部１３の外面上に接続されて位置している。検知用ロック部１７は、嵌合部１３の上方の外面に対して所定間隔をもって嵌合方向Ａ及び抜去方向Ｂへ延びているベース部１７ａと、ベース部１７ａの嵌合方向Ａ側の端部からベース部１７ａに対向するように延びているロックレバー１８とを有している。
【００２５】
ベース部１７ａは、嵌合部１３の嵌合方向Ａ側の嵌合端面１３ｂよりも嵌合方向Ａで短い寸法であり、さらに外枠部１５のフランジ部１５ａにおける抜去方向Ｂ側の端面よりも外側へ延びている。ロックレバー１８は、相手側コネクタ３１と係合しロックするものであり、ロックレバー１８の嵌合方向Ａ及び抜去方向Ｂの中間部分にかつロックレバー１８の上面にレバー係止部１８ａが形成されている。ロックレバー１８の抜去方向Ｂ側の端部には、ベース部１７ａ側へ押圧可能なレバー操作部（ロック部）１８ｂが形成されている。
【００２６】
嵌合検知部材２１は、図７及び図８にも示すように、嵌合方向Ａ及び抜去方向Ｂに対して平行な一軸Ｘを直交する方向に長い寸法である長板形状の操作ベース部２３と、操作ベース部２３の嵌合方向Ａ側の面から一軸Ｘを含み一軸Ｘ方向へ延びている基部２４と、操作ベース部２３の嵌合方向Ａ側の面から一軸Ｘを含み基部２４から一軸Ｘ方向へ延びている検知バネ部（検知部）２５と、基部２４の嵌合方向Ａ側の端面から抜去方向Ｂへ互いにテーパー形状に開くように延びて一軸Ｘの両側に位置している一対の保持バネ部（保持部）２７と、操作ベース部２３の嵌合方向Ａ側の面から一軸Ｘの両側で一軸Ｘに沿って延びて基部２４の両側に位置している一対の操作バネ部（操作部）２９とを有している。
【００２７】
検知バネ部２５は、コネクタ１１と相手側コネクタ３１との嵌合状態及び未嵌合状態を検知するものであり、コネクタ１１のロックレバー１８と係止する構造となっている。検知バネ部２５は、ロックレバー１８のレバー係止部１８ａと係合する突状の検知用係止部２５ａを有している。保持バネ部２７は、嵌合検知部材２１を待機位置（初期位置）に係止させ、嵌合検知部材２１の嵌合・抜去方向Ａ、Ｂにおけるスライド方向とは異なる方向に変位してコネクタ１１と係合するものである。
【００２８】
操作バネ部２９は、嵌合検知部材２１を保証位置に係止させるものであり、先端が互いに内側へ突出している鍵状の突起部２９ａとなっており、突起部２９ａの外側面には、嵌合方向Ａに挿入されやすいようになだらかな傾斜辺２９ｂが形成されており、突起部２９ａの内面が抜去方向Ｂで外れないように、きつい傾斜辺２９ｃとなっている。ここで、きつい傾斜辺２９ｃは、抜去方向Ｂに延びている辺である。
【００２９】
また、コネクタ１１には、図３及び図６に示すように、コネクタ１１の検知用ロック部１７に挿入される際に、嵌合検知部材２１の操作バネ部２９と保持バネ部２７との間に入り込む一対の内壁部１９が形成されている。内壁部１９の抜去方向Ｂにおける先端部分には、互いに内向きに突出している保持用突起部１９ａが形成されている。一対の内壁部１９における中間部分の外面には、外面から突出している操作用突起部１９ｂが形成されている。操作用突起部１９ｂの抜去方向Ｂ側の面は、なだらかに傾斜している傾斜辺１９ｃとなっており、嵌合方向Ａ側の面は、きつい傾斜辺１９ｄとなっている。
【００３０】
相手側コネクタ３１は、図１及び図２に示したように、略箱形状に形成されており、コネクタ１１の嵌合部１３を嵌合方向Ａへ挿入させて嵌合する大きな溝状の相手嵌合部３３と、コネクタ１１の検知用ロック部１７を嵌合方向Ａへ挿入させて嵌合するように溝状に形成されている相手側検知部３５とを有している。
【００３１】
相手側検知部３５の上側の外壁部３１ａには、相手側検知部３５の外面と内面との間を開口した窓部３７が形成されている。また、相手側コネクタ３１の嵌合方向Ａ側の壁部には、図示しない相手側コンタクトが挿入される穴３１ｆが形成されている。
【００３２】
以下に、コネクタ装置の嵌合検知部材２１により、嵌合状態を検知する機能、コネクタ１１が保証位置に位置している状態から容易に移動しないようにする機能、及び嵌合検知部材２１自身が容易にコネクタ１１から外れないようにする機能の、各機能について図面を参照しながら説明する。
【００３３】
図９乃至図１１は、コネクタ１１が未嵌合であるときの待機位置（初期位置）におけるコネクタ１１と嵌合検知部材２１との位置関係を示している。コネクタ１１は、未嵌合である待機位置の状態において検知バネ部２５の検知用係止部２５ａがレバー係止部１８ａの抜去方向Ｂ側で係止することにより、嵌合検知部材２１が挿入（待機位置から保証位置への移動）を行うことはできないようになっている。
【００３４】
嵌合検知部材２１をコネクタ１１に組み込むときには、図１０及び図１１に示すように、嵌合検知部材２１の一対の保持バネ部２７が互いに近づく向きへ変形することによって嵌合検知部材２１が組み込まれる。保持バネ部２７の先端２７ｇは、嵌合検知部材２１が組み込まれると、コネクタ１１の内壁部１９の外面に形成されている保持用突起部１９ａのきつい傾斜辺２９ｃと係止し、操作バネ部２９の突起部２９ａは、コネクタ１１の内壁部１９に形成されている操作用突起部１９ｂのきつい傾斜辺１９ｄに係止されるので、嵌合検知部材２１が抜去方向Ｂへ容易に外れることがない。
【００３５】
したがって、嵌合検知部材２１は、待機位置において検知バネ部２５の検知用係止部２５ａとロックレバー１８のレバー係止部１８ａとが係止されるので、保証位置まで挿入することができなくすることができる。
【００３６】
図１２及び図１３は、コネクタ１１が相手側コネクタ３１へ挿入される途中の状態における待機位置を示している。図１２及び図１３を参照して、コネクタ１１が相手側コネクタ３１に嵌合する途中の状態において、コネクタ１１のロックレバー１８に形成されているレバー係止部１８ａと検知バネ部２５の検知用係止部２５ａとは、相手側コネクタ３１の上側の外壁部３１ａにより押し下げられて、ロックレバー１８及び検知バネ部２５が変形する。
【００３７】
図１４及び図１５は、相手側コネクタ３１とコネクタ１１とが嵌合したときの待機位置を示している。相手側コネクタ３１へコネクタ１１の嵌合が完了すると、レバー係止部１８ａは、上壁部３７がない窓部３７の位置で、ロックレバー１８が変形した状態から自然状態に復帰する。このとき、検知バネ部２５の検知用係止部２５ａは、依然として上壁部３７の下側の位置に位置しているので、検知バネ部２５は変形を維持している。ここで、ロックレバー１８は復帰し検知バネ部２５が変形した状態では、係止が外れるので嵌合検知部材２１は保証位置へ挿入可能となる。なお、嵌合検知部材２１を保証位置へ挿入するときには、操作バネ部２９が突起部２９ａのなだらかな傾斜辺２９ｂに沿って容易に変形されるので、操作力は低くなる。
【００３８】
コネクタ１１と相手側コネクタ３１との嵌合が完了した時には、ロックレバー１８のレバー係止部１８ａが相手側コネクタ３１の窓部３７と係止して復帰するが、検知バネ部２５ａの頂点２５ｃは、相手側コネクタ３１の外壁部３１ａにより押し付けられたままであり、検知バネ部２５はロックレバー１８との係合が外れることになる。
【００３９】
よって、コネクタ１１が嵌合した時のみ、検知バネ部２５の係合が外れ、嵌合検知部材２１が移動可能となることから嵌合を検知する機能が確実に実施できる。すなわち、操作バネ部２５ａと保持用突起部１９ａとにより、待機位置からの嵌合検知部材２１の挿入が容易に行え、保証位置からの抜去は容易に行えない機能が確実に実施できる。
【００４０】
さらに、図１に示したように、嵌合検知部材２１を保証位置へ挿入すると、検知バネ部２５は変形した状態から自然状態に復帰する。このとき、検知バネ部２５の検知用係止部２５ａは、窓部３７から覗くことができるので、視覚的にもコネクタ１１が嵌合した状態であることが確認できる。
【００４１】
なお、嵌合検知部材２１を保証位置から待機位置へ抜去しようとするときには、操作バネ部２５の突起部２９ａに形成されているきつい傾斜辺２９ｃがあることから容易に抜去を行うこができない。
【００４２】
したがって、操作バネ部２５は、嵌合検知部材２１が待機位置に位置している際には、嵌合検知部材２１をスライド可能になし、嵌合検知部材２１が保証位置に位置している際には、コネクタ１１と係合して嵌合検知部材２１を待機位置に戻すことを阻止する。
【実施例２】
【００４３】
図１６乃至図１８は、実施例１に示したコネクタ装置の嵌合検知部材２１において操作バネ部２９を取り除いたものである。したがって、実施例１と同じ部分には同じ符号を付して実施例２の説明において必要な部分のみを説明することにする。
【００４４】
この実施例２では、検知バネ部２５の検知用係止部２５ａは、ロックレバー１８に形成されているレバー係止部１８ａに対して、きつい傾斜辺２５ｆをもたせてある。このきつい傾斜辺２５ｆにより、嵌合検知部材２１は容易に抜去できないようにすることができる。ここで、きつい傾斜辺２５ｆは、検知バネ部２５から抜去方向Ｂへ傾斜している辺である。
【実施例３】
【００４５】
図１９乃至図２１は、実施例１に示したコネクタ装置の嵌合検知部材２１において保持バネ部２９を取り除いたものである。したがって、実施例１と同じ部分には同じ符号を付して実施例２の説明において必要な部分のみを説明することにする。
【００４６】
この実施例３では、コネクタ１１の検知用ロック部１７に挿入される際に、嵌合検知部材２１の操作バネ部２９と保持バネ部２７との間に入り込む一対の内壁部１９が形成されている。内壁部１９の抜去方向Ｂにおける先端部分には、互いに外向きに突出している保持用突起部２９ｄが形成されている。操作バネ部２９の突起部２９ａは、保証位置において保持用突起部２９ｄに係止することにより、嵌合検知部材２１が容易に外れることがなくなる。
【産業上の利用可能性】
【００４７】
本発明は、電子機器同士を接続するコネクタ装置など、特に、自動車の支持パネルに搭載するコネクタ装置のように振動による相手側コネクタとコネクタとの組み合わせの用途の部品としても適用できる。
【図面の簡単な説明】
【００４８】
【図１】本発明のコネクタ装置の嵌合状態における保証位置を側面で断面した状態で示した断面図である（実施例１）。
【図２】図１に示したコネクタ装置の平面図である。
【図３】図１に示したコネクタ装置のコネクタ及び嵌合検知部材を一部で断面して示した平面図である。
【図４】図１に示したコネクタを側面で断面した断面図である。
【図５】図４に示したコネクタの側面図である。
【図６】図４に示したコネクタの平面図である。
【図７】図１に示した嵌合検知部材を示した平面図である。
【図８】図７に示した嵌合検知部材の側面図である。
【図９】図１に示したコネクタ及び嵌合検知部材の未嵌合状態で待機位置を説明するための側面で断面した断面図である。
【図１０】図９の平面図である。
【図１１】図１０の一部を断面して示した平面図である。
【図１２】図１に示したコネクタ及び嵌合検知部材の嵌合途中状態で待機位置を説明するための側面で断面した断面図である。
【図１３】図１２の平面図である。
【図１４】図１に示したコネクタ及び嵌合検知部材の嵌合状態で待機位置を説明するための側面で断面した断面図である。
【図１５】図１４の平面図である。
【図１６】本発明のコネクタ装置の変形例を示しており、コネクタ装置を正面で断面した断面図である（実施例２）。
【図１７】図１６に示した嵌合検知部材の平面図である。
【図１８】図１６に示した嵌合検知部材の側面図である。
【図１９】本発明のコネクタ装置の変形例を示しており、コネクタの一部を平面で断面して示した平面図である（実施例３）。
【図２０】図１９に示した嵌合検知部材の平面図である。
【図２１】図２０に示した嵌合検知部材の側面図である。
【符号の説明】
【００４９】
１１    コネクタ
１３    嵌合部
１５    外枠部
１７    検知用ロック部
１８    ロックレバー
１８ａ    レバー係止部
１８ｂ    レバー操作部
１９    内壁部
１９ａ    保持用突起部
１９ｂ    操作用突起部
１９ｃ，１９ｄ，２５ｆ，２９ｂ，２９ｃ    傾斜辺
２１    嵌合検知部材
２５    検知バネ部（検知部）
２５ａ    検知用係止部
２７    保持バネ部（保持部）
２９ａ    突起部
２９    操作バネ部（操作部）
３１    相手側コネクタ
３１ａ    外壁部
３１ｆ    穴
３３    相手嵌合部
３５    相手側検知部
３７    窓部
Ａ    嵌合方向
Ｂ    抜去方向
Ｘ    一軸
【図１】
2005251540.tif 000003
【図２】
2005251540.tif 000004
【図３】
2005251540.tif 000005
【図４】
2005251540.tif 000006
【図５】
2005251540.tif 000007
【図６】
2005251540.tif 000008
【図７】
2005251540.tif 000009
【図８】
2005251540.tif 000010
【図９】
2005251540.tif 000011
【図１０】
2005251540.tif 000012
【図１１】
2005251540.tif 000013
【図１２】
2005251540.tif 000014
【図１３】
2005251540.tif 000015
【図１４】
2005251540.tif 000016
【図１５】
2005251540.tif 000017
【図１６】
2005251540.tif 000018
【図１７】
2005251540.tif 000019
【図１８】
2005251540.tif 000020
【図１９】
2005251540.tif 000021
【図２０】
2005251540.tif 000022
【図２１】
2005251540.tif 000023